【手続補正書】
【提出日】平成19年3月8日(2007.3.8)
【手続補正１】
【補正対象書類名】特許請求の範囲
【補正対象項目名】全文
【補正方法】変更
【補正の内容】
【特許請求の範囲】
【請求項１】
圧力測定装置であって、
加圧されたプロセス流体に連結可能な入口、
前記入口に連結され、前記プロセス流体の絶対圧力を表わすプロセスセンサ出力を提供する絶対圧力センサ、
制御システムに連結可能な電気的コネクタを備えたフィールド配線コンパートメント、
前記電気的コネクタに連結され、前記圧力測定装置にシリアル通信およびエネルギを提供するバス、
前記電気的コネクタで、大気圧センサモジュールにエネルギを供給し、前記大気圧センサモジュールから大気圧を表わす数値データを含むシリアル通信信号を受信する前記バスに接続された大気圧センサモジュール、および
前記電気的コネクタで前記バスに連結され、前記バスから前記プロセスセンサ出力および前記シリアル通信信号を受信し、前記感知された絶対圧力と前記受信された数値データとの間の計算された差として、前記制御システムにゲージ圧力を提供する回路からなる圧力測定装置。
【請求項２】
前記バスがローカルバスであり、前記圧力測定装置が制御システムバスによって前記制御システムに前記ゲージ圧力出力を連結する請求項１の圧力測定装置。
【請求項３】
前記バスが制御システムバスであり、前記圧力測定装置が前記制御システムバスによって前記制御システムに前記ゲージ圧力出力を連結する請求項１の圧力測定装置。
【請求項４】
前記大気圧センサモジュールが、前記フィールド配線コンパートメントの内に設置された請求項１の圧力測定装置。
【請求項５】
前記大気圧感知モジュールおよび前記電気的コネクタが、一体化されたアセンブリである請求項２の圧力測定装置。
【請求項６】
前記回路が、シリアル通信信号の更新が必要ではないことを示すスリープ信号を前記バスに提供し、前記大気圧センサモジュールが、前記シリアル通信信号の提供を停止する請求項１の圧力測定装置。
【請求項７】
前記回路が、前記制御システムに絶対圧力出力を提供する請求項１の圧力測定装置。
【請求項８】
前記回路が、シリアル通信信号の更新が必要であることを示すアウェイク信号を前記バスに提供し、前記大気圧センサモジュールが、前記シリアル通信信号の提供を開始する請求項１の圧力測定装置。
【請求項９】
さらに、絶対圧力センサおよび大気圧センサ用に異なる減衰調整器を含む請求項１の圧力測定装置。
【請求項１０】
圧力測定装置であって、 
加圧されたプロセス流体に連結可能な入口、 
前記入口に連結され、前記プロセス流体の絶対圧力を表わすプロセスセンサ出力を提供する絶対圧力センサ、
制御システムに連結可能な電気的コネクタを備えたフィールド配線コンパートメント、
シリアル通信およびエネルギを供給する前記電気的コネクタに連結されたバス、および
前記プロセスセンサ出力を受信し、前記バスから大気圧を表わす数値データを含むシリアル通信信号を受信するために前記バスに連結され、感知された絶対圧力と受信された数値データとの間の計算された差として制御システムに連結可能なゲージ圧力を提供する回路を含む圧力測定装置。
【請求項１１】
前記バスが、大気圧センサモジュールにエネルギを供給し、前記大気圧センサモジュールから前記シリアル通信信号を受信する請求項１０の圧力測定装置。
【請求項１２】
前記回路が、シリアル通信信号の更新が必要ではないことを示すスリープ信号を前記バスに提供する請求項１０の圧力測定装置。
【請求項１３】
前記回路が、シリアル通信信号の更新が必要であることを示すアウェイク信号を前記バスに提供する請求項１０の圧力測定装置。
【請求項１４】
前記バスがローカルバスであり、前記圧力測定装置が制御システムバスによって前記制御システムに前記ゲージ圧力出力を連結する請求項１０の圧力測定装置。
【請求項１５】
前記バスが制御システムバスであり、前記圧力測定装置が前記制御システムバスによって前記制御システムに前記ゲージ圧力出力を連結する請求項１０の圧力測定装置。
【請求項１６】
前記回路が前記制御システムに絶対圧力センサ出力を提供する請求項１０の圧力測定装置。
【請求項１７】
さらに、前記回路が、
大気圧を表わす受信された数値データを記憶するメモリ領域、および
前記シリアル通信信号が受信される時に、前記メモリ領域を更新する更新回路を含むことからなる請求項１０の圧力測定装置。
【請求項１８】
さらに、前記回路が、
大気圧を表わす最後の数値データが受信された後の動作時間の長さを表わすカウント値を提供するタイマ、および
動作時間が予め定められた時間の長さを超過する場合に、前記メモリ領域を予め定められた値にリセットするリセット回路を含むことからなる請求項１７の圧力測定装置。
【請求項１９】
前記リセット回路が、前記メモリ領域を１標準大気圧を表わす値にリセットする請求項１８の圧力測定装置。
【請求項２０】
前記リセット回路が、メモリ領域を誤差メッセージを表わす範囲外値にリセットする請求項１８の圧力測定装置。
【請求項２１】
圧力測定装置電気的コネクタでバスに接続するように適応され、  
大気圧センサ、
前記バスから電力を受信するための電力調整装置、および
前記バスによって電力が供給され、前記大気圧センサ連結されて、大気圧を表わす数値データを含むシリアル通信信号を前記バスに提供する大気感知回路からなる大気圧感知モジュール。
【請求項２２】
前記圧力測定装置が、シリアル通信信号の更新が必要ではないことを示すスリープ信号を前記バスに提供した後で、前記大気感知回路が、前記シリアル通信信号の提供を停止する請求項２１の大気圧感知モジュール。
【請求項２３】
前記バスから電力を消費し、前記スリープ信号が受信された後で、前記大気感知回路が電力消費を低減する請求項２１の大気圧感知モジュール。
【請求項２４】
前記圧力測定装置が、シリアル通信信号の更新が必要であることを示すアウェイク信号を前記バスに提供した後で、前記大気感知回路が、前記シリアル通信信号の提供を開始する請求項２１の大気圧感知モジュール。
【請求項２５】
前記大気感知回路が、スリープモードおよびアウェイクモードの間の動作を自動的に循環させるセルフタイマを含むプロセッサからなる請求項２１の大気圧感知モジュール。
【請求項２６】
さらに、圧力測定装置のねじ切りされた導管開口部に取付け可能なねじ溝を備えたハウジングを含む請求項２１の大気圧感知モジュール。
【請求項２７】
前記ねじ溝が、圧力測定装置の完全な防爆性を維持する請求項２６の大気圧感知モジュール。
【請求項２８】
さらに、前記大気圧センサモジュール内の回路と周辺環境とを分離する防炎性遮蔽格を含む請求項２７の大気圧センサ。
【手続補正２】
【補正対象書類名】明細書
【補正対象項目名】０００７
【補正方法】変更
【補正の内容】
【０００７】
圧力測定装置は、フィールド配線コンパートメント内の電気的コネクタに、シリアル通信とエネルギを連結するバスを含む。大気圧センサモジュールは、電気的コネクタでバスに接続される。バスは、大気圧センサモジュールにエネルギを供給し、大気圧センサモジュールからシリアル通信信号を受信する。シリアル通信信号は、大気圧を表わす数値データを含む。
【手続補正３】
【補正対象書類名】明細書
【補正対象項目名】００１１
【補正方法】変更
【補正の内容】
【００１１】
さらに、この構成によって、デッドウェイトテスタなどのゲージ圧力規格を使用する絶対圧力測定装置を簡便に較正することができる。較正中には、大気圧センサモジュールは、一時的にフィールドの電気的コネクタに接続され、それにより圧力測定装置はゲージ圧力出力を提供する。圧力感知装置およびゲージ圧力規格の両方は、簡便に比較されるゲージ圧力出力を提供するので、較正が簡便に実行される。較正の完了後に、大気圧センサモジュールが取り外され、圧力感知装置は、絶対圧力出力を制御システムに提供することに戻ることができる。
【手続補正４】
【補正対象書類名】明細書
【補正対象項目名】００１５
【補正方法】変更
【補正の内容】
【００１５】
圧力測定装置１００は、制御システム１１２に連結された電気的コネクタ１１０が備えられているフィールド配線コンパートメント１０８を含む。電気的コネクタ１１０に連結されるバス１１４は、シリアル通信およびエネルギを提供する。大気圧センサモジュール１１６は、電気的コネクタ１１０でバス１１４に接続される。バス１１４は、大気圧センサモジュール１１６にエネルギを供給する。バス１１４は、大気圧センサモジュール１１６からシリアル通信信号１１８を受信する。シリアル通信信号１１８は、好ましくはラベル１２１と結合された大気圧を表わす数値データ１２０を含む。オプションのラベル１２１は、数値データを大気圧検出値と識別する。電気的コネクタ１１０の接続は、図２−４に示される具体例に関連して、より詳細に後述される。大気圧センサモジュール１１６は、図６に示される具体例に関連して、より詳細に後述される。
【手続補正５】
【補正対象書類名】明細書
【補正対象項目名】００２４
【補正方法】変更
【補正の内容】
【００２４】
好ましい構成では、ローカルバス１５４は、約３０メートルの最大バス長を有するコントローラ・エリア・ネットワーク（Controller Area Network：ＣＡＮ）プロトコルの態様によってフォーマットされたシリアル通信信号を導くように構成される。さらにローカルバス１５４は、液晶ディスプレイモジュールあるいは温度センサモジュールなどの他のフィールド周辺装置にエネルギを供給し、それらと通信することができるのが望ましい。制御システムバス１４８は、制御システム１４６への何百メートル以上の長距離送信用にフォーマットされた信号を導くように構成されるのが望ましい。制御システムバスは、ＨＡＲＴプロトコル、ＰＲＯＦＩＢＵＳ、ＦＯＵＮＤＡＴＩＯＮ  ＦＩＥＬＤＢＵＳ、あるいは他の産業標準プロトコルを使用して重畳されたシリアル通信を備えた４−２０ｍＡループなどの長距離送信用の産業標準バスを含むのが望ましい。
【手続補正６】
【補正対象書類名】明細書
【補正対象項目名】００２９
【補正方法】変更
【補正の内容】
【００２９】
大気圧センサモジュール１１６、１４４、１６４は、フィールド配線コンパートメント１０８内に装備され、圧力測定装置１００の一部になる。または、大気圧センサモジュール１１６、１４４、１６４は、送信機の外部に装備されることができる。
【手続補正７】
【補正対象書類名】明細書
【補正対象項目名】００４２
【補正方法】変更
【補正の内容】
【００４２】
送信機３００は、配線コンパートメント３０４を囲むフィールド配線ハウジング３０２を含む。配線ハウジング３０２は、アルミニウムまたはステンレス鋼などの金属から作られる。耳部３０６などの取付部材は、配線コンパートメント３０４の内部に形成され、コンパートメントカバー３０８はねじを切られており、３０９に示されるように配線コンパートメントの内部の対応するねじ溝と噛み合う。
【手続補正８】
【補正対象書類名】明細書
【補正対象項目名】００４４
【補正方法】変更
【補正の内容】
【００４４】
送信機３００は、さらに電気的コネクタ３１４を含む。電気的コネクタ３１４は、フィールド配線３１８への電気的接続用に適用されたターミナル３１６を含む。典型的には、フィールド配線３１８は、送信機３００にエネルギを供給し、送信機アセンブリ３１０によって感知されたプロセス流体変数の遠隔地への電気的送信を行なう２線式４−２０ｍＡ産業用制御ループを介するＨＡＲＴシリアル通信、または図２〜４に関連して説明されたように配線された、ＦＯＵＮＤＡＴＩＯＮ  ＦＩＥＬＤＢＵＳ、ＰＲＯＦＩＢＵＳ、または他の通信プロトコルなどの様々な既知の産業用バスを含む、長距離信号通信を使用する。１つの実施形態では、ねじ３２８は、電気的コネクタ３１４を取付耳部３０６に取付ける。好ましくは、電気的コネクタ３１４は、封止されたプログラミングジャンパアセンブリ３２０および封止されたプログラミング押しボタン式スイッチ３３０を含む。ジャンパアセンブリ３２０は、それぞれプログラミング用の様々な方向の内の１つに差し込むことができる取外し可能なジャンパ本体３２６を含む。電気的コネクタ３１４は、さらに、送信機電気的コネクタ３１２に差し込まれ、送信機アセンブリ３１０の本体に封止される封入プラグ３２４が終端である封止ケーブル３２２を含む。
【手続補正９】
【補正対象書類名】明細書
【補正対象項目名】００４５
【補正方法】変更
【補正の内容】
【００４５】
送信機３００は、制御システム３０３に連結する電気的コネクタ３１４を備えたフィールド配線コンパートメント３０４を含む。封止ケーブル３２２は、シリアル通信とエネルギとを供給し、電気的コネクタ３１４に連結されるバス３２３を含む。大気圧センサモジュール３５４は、電気的コネクタ３１４でバス３２３に接続する。図示されるように、大気圧センサモジュール３５４は、一体化されたアセンブリを形成するように、電気的コネクタ３１４内に組み込まれるのが望ましい。バス３２３は、大気圧センサモジュール３５４にエネルギを供給する。バス３２３は、大気圧センサモジュール３５４からシリアル通信信号を受信する。シリアル通信信号は、数値データを大気圧検出値と識別するラベルと結合された大気圧を表わす数値データを含む。
【手続補正１０】
【補正対象書類名】明細書
【補正対象項目名】００５５
【補正方法】変更
【補正の内容】
【００５５】
１００……圧力測定装置、１０２……入口、１０４……絶対圧力センサ、１０６……プロセスセンサ出力、１０８……フィールド配線コンパートメント、１１０……電気的コネクタ、１１２……制御システム、１１４……バス、１１６……大気圧センサモジュール、１１８……シリアル通信信号、１２０……数値データ、１２１……ラベル、１２２……回路、１２４……ゲージ圧力出力
【手続補正１１】
【補正対象書類名】図面
【補正対象項目名】図１
【補正方法】変更
【補正の内容】
【図１】
2006520901.tif 000001
【手続補正１２】
【補正対象書類名】図面
【補正対象項目名】図１２
【補正方法】変更
【補正の内容】
【図１２】
2006520901.tif 000002